(57)【要約】【課題】間仕切り部材を設けたティッシュ収納箱を製造コストの上昇を招くことなく製造する。【解決手段】直方体形状に組み立てた箱体１に、予め折り目を形成した厚紙製の間仕切り部材２を嵌め込む。この間仕切り部材２には、その中央に起立突片３が形成されるとともに、この起立突片３の底辺側に、対称に水平部４と立ち上がり片５が順次形成されており、この間仕切り部材２によって、箱体１は２つの収納区画６ａ、６ｂに区画される。各収納区画６ａ、６ｂには、ティッシュ７とウェットティッシュ１１のように異なる種類のものを収納し得る。この考案によると、ティッシュ収納箱の箱体１内に設ける間仕切り部材２を箱体１と別部材としたことにより、このティッシュ収納箱の製造を容易に行い得る。そのため、その製造コストを抑制することができる。【選択図】図１
0003141988.tif 000002
【実用新案登録請求の範囲】
【請求項１】
箱体（１）に、この箱体（１）と別部材からなる間仕切り部材（２）を予め成形した上で嵌め込み、この間仕切り部材（２）で、前記箱体（１）内を複数の収納区画（６ａ、６ｂ）に区画し、前記各収納区画（６ａ、６ｂ）に、折り重ねたティッシュ（７）をそれぞれ収納するとともに、前記各収納区画（６ａ、６ｂ）の位置に対応して、前記ティッシュ（７）を取り出す取り出し口（１４ａ、１４ｂ）をそれぞれ形成したティッシュ収納箱。
【請求項２】
前記各収納区画（６ａ、６ｂ）に、ティッシュ（７）とウェットティッシュ（１１）とをそれぞれ収納した請求項１に記載のティッシュ収納箱。
【考案の詳細な説明】
【技術分野】
【０００１】
この考案は、複数の収納区画を有するティッシュ収納箱に関する。
【背景技術】
【０００２】
ティッシュを収納する収納箱として、その箱体内を複数の収納区画に区画し、各収納区画に異なるサイズのティッシュをそれぞれ折り重ねた状態で収納して、各サイズのティッシュを取り出し口から個別に取り出し得るようにしたものがある（例えば、特許文献１参照）。前記収納区画は、箱体に固定した間仕切り部材によって区画されている。この間仕切り部材によって、隣り合う収納区画の一方のティッシュが、他方側に倒れ掛かるのを防止している。
【特許文献１】特開平１０−１５７７７８号公報
【考案の開示】
【考案が解決しようとする課題】
【０００３】
従来技術に示すティッシュ収納箱は、箱体に間仕切り部材を直接固定しているので（特許文献１の段落番号０００９参照）、この箱体の組み立てに際し、前記間仕切り部材を固定する工程を要する。このため、製造工程が煩雑となって製造コストが上昇する問題がある。
【０００４】
そこで、この考案は、間仕切り部材を設けたティッシュ収納箱を製造コストの上昇を招くことなく製造することを課題とする。
【課題を解決するための手段】
【０００５】
前記の課題を解決するため、この考案は、箱体に、この箱体と別部材からなる間仕切り部材を予め成形した上で嵌め込み、この間仕切り部材で、前記箱体内を複数の収納区画に区画し、前記各収納区画に、折り重ねたティッシュをそれぞれ収納するとともに、前記各収納区画の位置に対応して、前記ティッシュを取り出す取り出し口をそれぞれ形成した。
【０００６】
この間仕切り部材は、紙材等を折り曲げて、自立し得る起立突片を形成したものである。この間仕切り部材を箱体に嵌め込むと、前記起立突片が前記箱体内を複数の収納区画に区画する。
【０００７】
また、前記起立突片の底辺に連続する水平部を設け、この箱体の各収納区画に収納したティッシュが前記水平部を自重で押さえ付けるようにすることで、前記起立突片の安定した起立状態を保つようにし得る。さらに、前記水平部の縦横幅を前記箱体の内法とほぼ同じとすることによって、この水平部が箱体内でずれて動かないので、各収納区画に収納したティッシュを安定して保持し得る。
【０００８】
前記箱体には、複数の間仕切り部材を嵌め込んだり、あるいは、複数の起立突片を形成した間仕切り部材を嵌め込んだりすることもできる。このようにすることによって、形成した起立突片の数に対応した数の収納区画が設けられることとなって、必要に応じて、異なるサイズのティッシュを収納することができる。
【０００９】
前記収納区画には、用途に応じて種々のサイズのティッシュを収納し得るとともに、ウェットティッシュのように薬液を浸透させたものも併せて収納し得る。また、ティッシュのみならず、ポリエチレン製袋体のように、ティッシュと同様に折り重ねた状態で箱体に収納し得るものであれば、その収納物は特に限定されない。
【考案の効果】
【００１０】
この考案によると、ティッシュ収納箱の箱体内に設ける間仕切り部材を前記箱体と別部材としたことにより、このティッシュ収納箱の製造を容易に行い得る。そのため、その製造コストを抑制することができる。
【考案を実施するための最良の形態】
【００１１】
図１〜図３にこの考案に係るティッシュ収納箱を示して説明する。このティッシュ収納箱は、直方体形状に組み立てた箱体１に、予め折り目を形成した厚紙製の間仕切り部材２を嵌め込んだものである。
【００１２】
図１に示すように、この間仕切り部材２は、１枚の長方形状の厚紙を折り曲げ加工したものであって、その中央に起立突片３が形成されるとともに、この起立突片３の底辺側に、対称に水平部４と立ち上がり片５が順次形成されている。この間仕切り部材２を箱体１に嵌め込むと、この箱体１は２つの収納区画６ａ、６ｂに区画される。この各収納区画６ａ、６ｂには、ティッシュ７と、開口部８をシール部材９で密封した、袋１０入りのウェットティッシュ１１とがそれぞれ収納されている。
【００１３】
この起立突片３の立ち上がり高さは、箱体１の内法の高さとほぼ同じなので、各収納区画６ａ、６ｂをその高さ方向全体に亘って区画し得る。このため、各収納区画６ａ、６ｂの目一杯の高さまでティッシュ７等を収納した場合でも、一方の収納区画６ａから他方の収納区画６ｂにティッシュ７が入り込みにくい。
【００１４】
また、間仕切り部材２の水平部４の全縦横幅を、この箱体１の内法よりもわずかに小さくすることによって、この間仕切り部材２の箱体１への嵌め込み性を確保しつつ、間仕切り部材２が箱体１内でがたつくのを防止している。さらに、水平部４に続いて形成された立ち上がり片５を箱体１の内壁側面に当接させることによって、この間仕切り部材２の安定性を一層増すようにしている。
【００１５】
この箱体１の上面には、各収納区画６ａ、６ｂの位置に対応して、切れ込み１２ａ、１２ｂが形成されている。ティッシュ７又はウェットティッシュ１１を使用する際は、図２及び図３に示すように、各切れ込み１２ａ、１２ｂを手で突き破りつつ、切れ込み片１３ａ、１３ｂを取り除いて、取り出し口１４ａ、１４ｂを形成し、この取り出し口１４ａ、１４ｂからティッシュ７等を１枚ずつ取り出す。ウェットティッシュ１１はシール部材９で密封した袋１０の中に入っているので、取り出し口１４ｂを介してこのシール部材９を一旦剥がした上で取り出す。このウェットティッシュ１１の取り出し後は、この開口部８を再びシール部材９で密封して、残りのウェットティッシュ１１が乾燥しないようにする。
【００１６】
各収納区画６ａ、６ｂに収納するティッシュ７のサイズや種類は適宜選択し得る。本実施例のように、ティッシュ７とウェットティッシュ１１を収納する他に、起立突片３及び取り出し口１４ａ、１４ｂの位置を変更して、サイズの異なるティッシュ７を収納しても良いし、例えばポリエチレン製のゴミ袋等を収納するようにしても良い。
【００１７】
また、箱体１の高さ、長さ及び幅の比率や形状は、図１〜図３に示したものに限定されず、各収納区画への収納量及び収納区画数に対応して、適宜変更することができる。
【００１８】
このティッシュ収納箱の素材としては、製造の容易性及び製造コストの観点から紙を用いるのが一般的であるが、樹脂製や金属製とすることもできる。このようにすると、例えば、袋１０を用いることなくウェットティッシュ１１を収納することが可能となる。この場合は、取り出し口１４ａ、１４ｂに直接シール部材９を設けたり、開閉自在に蓋を設けたりして、ウェットティッシュ１１の乾燥を防ぐ必要がある。
【図面の簡単な説明】
【００１９】
【図１】この考案に係るティッシュ収納箱の分解斜視図
【図２】この考案に係るティッシュ収納箱の斜視図
【図３】この考案に係るティッシュ収納箱の側面断面図
【符号の説明】
【００２０】
１  箱体
２  間仕切り部材
３  起立突片
４  水平部
５  立ち上がり片
６ａ、６ｂ  収納区画
７  ティッシュ
８  開口部
９  シール部材
１０  袋
１１  ウェットティッシュ
１２ａ、１２ｂ  切れ込み
１３ａ、１３ｂ  切れ込み片
１４ａ、１４ｂ  取り出し口
【図１】
0003141988.tif 000003
【図２】
0003141988.tif 000004
【図３】
0003141988.tif 000005